(57)【特許請求の範囲】
【請求項１】
筒状の握り部(11)と、
前記握り部(11)の上端から突出可能に前記握り部(11)に収容された移動針押出体(13)と、前記握り部(11)に内蔵され前記移動針押出体(13)を突出させる方向に付勢するスプリング(16)と、毛根(17a)を収容可能な内径を有し先端が前記握り部(11)の下端から突出するように基端が前記握り部(11)に固定された管状の固定針(12)と、前記固定針(12)に摺動可能に挿入され基端が前記移動針押出体(13)に固着され前記移動針押出体(13)が前記握り部(11)の上端から突出した状態で前記固定針(12)に収容され前記移動針押出体(13)が前記握り部(11)に収容された状態で前記固定針(12)の先端から先端が突出する植毛用の移動針(18)とを備えた植毛機において、
前記固定針(12)の先端に毛髪(17)が挿入可能であってかつ前記毛根(17)の径より狭い直径を有する孔(12a)が形成されたことを特徴とする植毛機。
【請求項２】
固定針(12)の先端が斜めに形成され、移動針(18)の先端が平坦に形成された請求項１記載の植毛機。
【発明の詳細な説明】
【０００１】
【発明の属する技術分野】
本発明は、例えば頭皮に毛髪を植設するために使用される植毛機に関するものである。
【０００２】
【従来の技術】
従来の植毛機は、手術者がその手に把持する握り部に、先端部に切欠き部が形成された植毛用の針を備えたものが知られている。このような切欠き部が形成された針を有する植毛機では、切欠き部に毛髪を引っかけた状態で針の先端部を頭皮内に差込むことにより切欠き部とともに毛髪の基端を皮膚内に押込み、毛髪の基端を頭皮内部に残存させた状態で握り部を引戻して針を頭皮から引抜くことにより毛髪を植設している。
【０００３】
【発明が解決しようとする課題】
しかし、上述した従来の植毛機では針の先端部に切欠き部を形成することから、必然的にその先端部が二股状になる。このため先端に毛髪を引っかけた状態で頭皮に差込むことは二股状のそれぞれの突端部分により頭皮を切開いてしまうことになり、その治療に時間を必要とするとともに、その治療の際に植設した毛髪が抜けてしまう恐れがあった。
また、植設する毛髪に毛根がある場合には切欠き部に毛根を引っかける必要があり、このような状態で針の先端部を頭皮内に差込むことは、毛根と頭皮とが擦れ合うことに起因して毛髪の毛根が傷つけられる問題点があった。
【０００４】
本発明の目的は、頭皮を傷つけることなく毛髪を容易に植設することのできる植毛機を提供することにある。
本発明の別の目的は、毛根を傷つけることなく頭皮に毛髪を容易に植設することのできる植毛機を提供することにある。
【０００５】
【課題を解決するための手段】
請求項１に係る発明は、図１及び図４に示すように、筒状の握り部１１と、握り部１１の上端から突出可能に握り部１１に収容された移動針押出体１３と、握り部１１に内蔵され移動針押出体１３を突出させる方向に付勢するスプリング１６と、毛根１７ａを収容可能な内径を有し先端が握り部１１の下端から突出するように基端が握り部１１に固定された管状の固定針１２と、固定針１２に摺動可能に挿入され基端が移動針押出体１３に固着され移動針押出体１３が握り部１１の上端から突出した状態で固定針１２に収容され移動針押出体１３が握り部１１に収容された状態で固定針１２の先端から先端が突出する植毛用の移動針１８とを備えた植毛機の改良である。
その特徴ある点は、固定針１２の先端に毛髪１７が挿入可能であってかつ毛根１７の径より狭い直径を有する孔１２ａが形成されたところにある。
【０００６】
図５（ａ）に示すように、毛根１７ａの近傍の毛髪１７を孔１２ａに通した後、固定針１２の先端開口部より毛根１７ａを挿入する。孔１２ａに通された毛髪１７を固定針１２の外部に沿わせた状態にして固定針１２の先端を頭皮１９に刺込む。
図２及び図５（ｂ）に示すように、この状態で移動針押出体１３を握り部１１に収容することにより、移動針１８の先端が固定針１２の先端より突出し、同時に毛根１７ａが固定針１２から押出されて頭皮１９内に埋込まれる。
図５（ｃ）に示すように、この状態で移動針１８とともに固定針１２を頭皮１９から引抜けば、毛髪１７が植毛される。
ここで、孔１２ａの直径を毛根１７ａの径より狭い直径で形成することにより、固定針１２内部に毛根１７ａを挿入した場合に毛根１７ａが孔１２ａを通過して固定針１２内部から抜けることを防止する。
【０００７】
請求項２に係る発明は、請求項１に係る発明であって、固定針１２の先端が斜めに形成され、移動針１８の先端が平坦に形成された植毛機である。
固定針１２の先端部を斜めに形成することにより、固定針１２の頭皮への挿入を容易にし、かつ頭皮１９が傷つけられることを防止する。また、移動針１８の先端を平坦に形成することにより、移動針１８が毛根１７ａを固定針１２から押出す際に毛根１７ａを傷つけない。
【０００８】
【発明の実施の形態】
次に本発明の実施の形態を図面に基づいて詳しく説明する。
図４に示すように、植毛機１０は手術者がその手に把持する筒状の握り部１１とその握り部１１の下端から軸心に沿って突出するように固定された固定針１２とを有する。図１〜図４に示すように、握り部１１は先細りに形成された下部管状体１１ａとこの下部管状体１１ａとほぼ等しい外形を有する上部管状体１１ｂとにより構成され、下部管状体１１ａと上部管状体１１ｂとの突き合せ部分内部には全周に渡って凹溝１１ｃが形成される。この下部管状体１１ａと上部管状体１１ｂにより構成された握り部１１には移動針押出体１３が摺動可能に収容される。
【０００９】
図３に示すように、移動針押出体１３は握り部１１の下部に収容され先細りに形成された下部管体１３ａと、握り部１１の上端から突出して握り部１１に収容される押し部１３ｂと、この下部管体１３ａと押し部１３ｂを連結する一対の連結部１３ｃ，１３ｃとにより構成される。一対の連結部１３ｃ，１３ｃの間には固定針１２の基端が固着された固定台１４が挿入され、固定針１２の先端は移動針押出体１３の下端から下方に向って突出して固定される。
【００１０】
図１及び図２に示すように、固定台１４の両側には係合片１４ａ，１４ａがそれぞれ設けられ、この一対の係合片１４ａ，１４ａは握り部１１内部に形成された凹溝１１ｃに係合することにより固定針１２が握り部１１に固定される。固定台１４と押し部１３ｂとの間には螺旋状のスプリング１６が装着され、スプリング１６は固定台１４と押し部１３ｂとの間を広げようと付勢し、これにより移動針押出体１３は握り部１１の上端から突出する方向に付勢させられる。なお、押し部１３ｂには段部１３ｄが形成されこの段部１３ｄに対応する握り部１１の上部にはフランジ１１ｄが形成され、移動針押出体１３が握り部１１の上端から突出する方向にスプリング１６により付勢されても、段部１３ｄがフランジ１１ｄに当接して移動針押出体１３の所定量以上の握り部１１からの突出が制限されるようになっている。
【００１１】
握り部１１に固定された固定針１２は毛根１７ａ（図５）を収容可能な内径を有する管状の固定針１２であって、図４の拡大図に示すように、毛髪１７が挿入可能な孔１２ａが先端部に形成される。固定針１２の孔１２ａの直径は毛根１７ａの径より狭い直径で形成され、固定針１２内部に毛根１７ａを挿入した場合に毛根１７ａが孔１２ａを通過して固定針１２内部から抜けないように構成される。また、この固定針１２の先端は植毛時に容易に頭皮等に挿入することができるように斜めに切断されて作られる。
【００１２】
図１〜図３に示すように、固定針１２には先端が平坦に切断された移動針１８が摺動可能に挿入され、基端が固定台１４及び螺旋状のスプリング１６の内部を貫通して押し部１３ｂの下端に挿着される。図４及び図５に示すように、固定針１２に形成された孔１２ａに対向する移動針１８の先端部には、毛髪１７を収容可能な溝２８ａが長手方向に形成される。図１に示すように移動針１８は移動針押出体１３が握り部１１の上端から突出した状態で固定針１２に収容され、図２に示すように、スプリング１６の付勢力に打勝って移動針押出体１３を握り部１１に収容させれば固定針１２の先端から先端が突出する長さに形成される。
【００１３】
このように構成された植毛機の動作を図５を用いて説明する。
図５（ａ）に示すように、この植毛機１０を使用して毛髪１７を頭皮１９に植設する場合には、先ず、固定針１２の先端開口部より毛髪１７の先端を挿入してその毛髪の先端を孔１２ａに通す。毛根１７ａ近傍まで毛髪１７を孔１２ａに通したならば毛根１７ａを固定針１２の先端開口部に挿入する。次いで、孔１２ａを介して固定針１２の外部に導いた毛髪１７を固定針１２の外部に沿わせるように配置する。この状態で、植設しようとする頭皮１９の該当部分に毛根１７ａとともに固定針１２の先端部を挿入する。この際に固定針１２の先端部が斜めに切断されて形成されているために、その挿入が容易で、かつ頭皮１９を傷つけることなく毛根１７ａは頭皮１９に挿入される。
【００１４】
図５（ｂ）に示すように、毛根１７ａが頭皮１９に挿入されたならば、握り部１１を把持している手の指により手術者は押し部１３ｂをスプリング１６の付勢力に打勝って握り部１１に収容させる（図２）。これにより移動針１８が固定針１２の内部でその先端方向に移動し、毛根１７ａが固定針１２の先端部から移動針１８により押出され、頭皮１９内に毛根１７ａが埋込まれる。この場合、移動針１８に形成された溝１８ａに毛髪１７が進入し、溝１８ａは毛根１７ａを押出す際に毛根１７ａの近傍の毛髪１７を孔１２ａと移動針１８との間で傷つけることを防止する。
図５（ｃ）に示すように、頭皮１９内に毛根１７ａが埋込まれたならば手術者は握り部１１を引戻して固定針１２を移動針１８とともに頭皮１９から引抜くことにより毛髪１７が頭皮１９に植設される。引抜かれた植毛機１１の固定針１２内部には再び毛根１７ａが収容され、頭皮１９の別の植設する箇所に再び同様の手順により毛髪が植設される。
【００１５】
【発明の効果】
以上述べたように、本発明によれば、植毛機が握り部と、この握り部の上端から突出可能に収容された移動針押出体と、移動針押出体を突出させるスプリングと、握り部に固定された孔を有する管状の固定針と、この固定針に挿入され基端が移動針押出体に固着された移動針とを備えたので、この毛根を固定針に収容した状態で毛髪を頭皮に植設することができる。また、固定針に摺動可能に移動針を挿入したので、毛根を固定針とともに挿入した状態で移動針を固定針の内部で移動させることにより毛根を固定針から押出して容易に頭皮内に毛根を埋込むことができる。この結果、毛根を傷つけることなく頭皮に毛髪を容易に植設することができる。
【００１６】
また、固定針の先端部を斜めに形成すれば、固定針の頭皮への挿入が容易になりかつ固定針により頭皮の傷つけを防止することができ、移動針の先端を平坦に形成することにより、移動針が毛根を固定針から押出す際に毛根が傷つけられることもない。また、孔の直径を毛根の径より狭い直径で形成すれば、固定針内部に毛根を挿入した場合に毛根が孔を通過して固定針から抜けることもない。この結果、本発明に係る植毛機では、頭皮及び植設される毛髪の毛根を傷つけることなく毛髪を容易に頭皮に植設することができる。
【図面の簡単な説明】
【図１】本発明の植毛機を示す図３のＢ−Ｂ線断面図。
【図２】その植毛機の移動針押出体が握り部に収容された状態を示す図１に対応する断面図。
【図３】その植毛機を示す図４のＡ−Ａ線断面図。
【図４】その植毛機の斜視図。
【図５】（ａ）毛根を固定針に収容した状態で頭皮に固定針を挿入した状態を示す要部断面図。
（ｂ）毛根が移動針により固定針から押出された状態を示す要部断面図。
（ｃ）固定針を移動針とともに頭皮から引抜いて毛髪が頭皮に植設された状態を示す要部断面図。
【符号の説明】
１１  握り部
１２  固定針
１２ａ  孔
１３  移動針押出体
１６  スプリング
１７  毛髪
１７ａ  毛根
１８  移動針
【図１】
0003590235.tif 000002
【図２】
0003590235.tif 000003
【図３】
0003590235.tif 000004
【図４】
0003590235.tif 000005
【図５】
0003590235.tif 000006